(57)【要約】      （修正有）【課題】簡単な構造でありながら電線の挿入箇所を選択して速結を図ることが可能な端子台を提供する。【解決手段】略Ｕ字状を呈する一つの板ばね３０が筺体１０の内部空間に配置され、板ばね３０の第１腕部３０ｂに対向する上壁部１２に第１挿入孔１２ａが設けられ、第１挿入孔１２ａを通して内部空間に挿入される電線の端部が、板ばね３０の第１挿入孔１２ａへ接近する方向へ作用する付勢力によって端子金具２０に圧接される。板ばね３０の第２腕部３０ｃに対向する前壁部１４に第２挿入孔１４ａが設けられ、第２挿入孔１４ａを通して内部空間に挿入される電線の端部が、板ばね３０の第２挿入孔１４ａへ接近する方向へ作用する付勢力によって端子金具２０に圧接される。【選択図】図２
0003159469.tif 000002
【実用新案登録請求の範囲】
【請求項１】
周壁部に囲まれた内部空間を有する絶縁性の筺体と、前記筺体の前記内部空間に配置された一つの端子金具とを備えた端子台において、
中央の湾曲部とその両側に設けられた第１腕部及び第２腕部とからなる略Ｕ字状を呈する一つの板ばねが前記筺体の前記内部空間に配置され、
前記筺体の前記周壁部における前記板ばねの前記第１腕部に対向する位置に外部と前記内部空間とを貫通する第１挿入孔が設けられ、その第１挿入孔を通して前記内部空間に挿入される電線の端部が、前記板ばねの前記第１挿入孔へ接近する方向へ作用する付勢力によって前記端子金具に圧接されるように構成されると共に、
前記筺体の前記周壁部における前記板ばねの前記第２腕部に対向する位置に外部と前記内部空間とを貫通する第２挿入孔が設けられ、その第２挿入孔を通して前記内部空間に挿入される電線の端部が、前記板ばねの前記第２挿入孔へ接近する方向へ作用する付勢力によって前記端子金具に圧接されるように構成されたことを特徴とする端子台。
【請求項２】
前記板ばねの前記第１腕部と前記第２腕部とは、前記湾曲部の中心を通る中心線に対して線対称に形成され、
前記第１挿入孔と前記第２挿入孔とは、前記中心線に対して線対称位置に設けられたことを特徴とする請求項１に記載の端子台。
【請求項３】
前記第１挿入孔の電線挿入方向と前記第２挿入孔の電線挿入方向とは、互いに直交していることを特徴とする請求項２に記載の端子台。
【請求項４】
前記筺体の前記周壁部は、前記第１挿入孔が設けられる第１壁部と、前記第２挿入孔が設けられる第２壁部とを有し、
前記板ばねの中心線を挟んで前記第１壁部と前記第２壁部とが線対称となるように構成されたことを特徴とする請求項２又は３に記載の端子台。
【請求項５】
前記板ばねの前記第１腕部を前記第１挿入孔への接近方向とは反対方向へ押圧して電線の圧接を解除するための第１解除ボタンと、
前記板ばねの前記第２腕部を前記第２挿入孔への接近方向とは反対方向へ押圧して電線の圧接を解除するための第２解除ボタンと
を備えたことを特徴とする請求項１乃至４のいずれか一つに記載の端子台。
【考案の詳細な説明】
【技術分野】
【０００１】
本考案は、ねじを用いることなく電線接続を図ることができるワンタッチ接続式の端子台に関する。
【背景技術】
【０００２】
従来、プリント基板に直付けされる電線接続用の端子台として、絶縁性の本体に設けられた電線挿入孔に電線を挿入することにより、本体内に収容された板ばねの圧接によって端子金具にワンタッチで電線接続するように構成されたワンタッチ接続式の端子台が実用に供されている（例えば、特許文献１、２等参照）。
【先行技術文献】
【特許文献】
【０００３】
【特許文献１】特開２００３−１９７２８８号公報
【特許文献２】特開２００６−１０３２６３号公報
【考案の概要】
【考案が解決しようとする課題】
【０００４】
しかしながら、上述した特許文献１、２に記載された端子台では、１つの筺体に電線挿入孔が１つしか設けられていないため、電線の挿入箇所が一箇所に限られている。従って、例えば、電線挿入孔周辺に十分に大きな空間を確保できない場合には、電線を挿入しにくい場合がある。また、電線の接続相手の装置との位置関係によっては距離が大きく離れてしまうために、電線の長さを長くしなければならない場合があるという問題もある。一方、端子台に複数の電線挿入孔を設けると共に各電線挿入孔毎に板ばねをそれぞれ設ける構成も考えられるが、構造が複雑化して体格が大型化するという問題が懸念される。
【０００５】
本考案は上述した問題点に鑑みてなされたものであり、簡単な構造でありながら電線の挿入箇所を選択してワンタッチ接続することが可能な端子台を提供することを目的とする。
【課題を解決するための手段】
【０００６】
以下、上記課題を解決するのに適した各手段につき、必要に応じて作用効果等を付記しつつ説明する。
【０００７】
（請求項１）周壁部に囲まれた内部空間を有する絶縁性の筺体と、前記筺体の前記内部空間に配置された一つの端子金具とを備えた端子台において、
中央の湾曲部とその両側に設けられた第１腕部及び第２腕部とからなる略Ｕ字状を呈する一つの板ばねが前記筺体の前記内部空間に配置され、
前記筺体の前記周壁部における前記板ばねの前記第１腕部に対向する位置に外部と前記内部空間とを貫通する第１挿入孔が設けられ、その第１挿入孔を通して前記内部空間に挿入される電線の端部が、前記板ばねの前記第１挿入孔へ接近する方向へ作用する付勢力によって前記端子金具に圧接されるように構成されると共に、
前記筺体の前記周壁部における前記板ばねの前記第２腕部に対向する位置に外部と前記内部空間とを貫通する第２挿入孔が設けられ、その第２挿入孔を通して前記内部空間に挿入される電線の端部が、前記板ばねの前記第２挿入孔へ接近する方向へ作用する付勢力によって前記端子金具に圧接されるように構成されたことを特徴とする端子台。
【０００８】
請求項１に記載の考案によれば、筺体の周壁部において、板ばねの第１腕部に対向する位置に設けられた第１挿入孔と第２腕部に対向する位置に設けられた第２挿入孔との２つの挿入孔が設けられ、各挿入孔を通して内部空間に挿入される電線の端部が、板ばねの各挿入孔へ接近する方向へ作用する付勢力によって端子金具に圧接される。
【０００９】
よって、本発明の端子台によれば、簡単な構造でありながら電線の挿入箇所を選択してワンタッチ接続することが可能である。すなわち、一つの端子金具及び一つの板ばねを筺体内部に収容した簡単な構造でありながら、配設位置の異なる２つの挿入孔を、使用環境に応じて選択的に使用して電線を挿入し、ワンタッチ接続することができる。例えば、第１挿入孔の周辺には他の装置が配置されていて電線接続に十分な空間が無いが、第２挿入孔の周辺には十分な空間がある場合は、第２挿入孔に電線を挿入すれば、電線接続作業を容易に行うことが可能となる。また、電線の接続相手からの距離が第２挿入孔よりも第１挿入孔の方が近い場合には、第１挿入孔に電線を挿入すれば、より長さの短い電線を使用して電線接続を図ることができる。
【００１０】
（請求項２）前記板ばねの前記第１腕部と前記第２腕部とは、前記湾曲部の中心を通る中心線に対して線対称に形成され、
前記第１挿入孔と前記第２挿入孔とは、前記中心線に対して線対称位置に設けられたことを特徴とする請求項１に記載の端子台。
【００１１】
請求項２に記載の考案によれば、板ばねの第１腕部と第２腕部とは、湾曲部の中心を通る中心線に対して線対称に形成され、第１挿入孔と第２挿入孔とは、中心線に対して線対称位置に設けられるので、各挿入孔を通して電線の端部を内部空間に挿入したときに板ばねには略同一の大きさの付勢力が発生し、電線の端部を端子金具に対して確実に圧接させることができる。
【００１２】
（請求項３）前記第１挿入孔の電線挿入方向と前記第２挿入孔の電線挿入方向とは、互いに直交していることを特徴とする請求項２に記載の端子台。
【００１３】
請求項３に記載の考案によれば、前記第１挿入孔の電線挿入方向と前記第２挿入孔の電線挿入方向とは、互いに直交しているので、配設位置が異なり且つ電線挿入方向が９０度異なる２つの挿入孔を、使用環境に応じて選択的に使用して電線接続を図ることができる。
【００１４】
（請求項４）前記筺体の前記周壁部は、前記第１挿入孔が設けられる第１壁部と、前記第２挿入孔が設けられる第２壁部とを有し、
前記板ばねの中心線を挟んで前記第１壁部と前記第２壁部とが線対称となるように構成されたことを特徴とする請求項２又は３に記載の端子台。
【００１５】
請求項４に記載の考案によれば、筺体の周壁部は、第１挿入孔が設けられる第１壁部と、第２挿入孔が設けられる第２壁部とを有し、板ばねの中心線を挟んで第１壁部と第２壁部とが線対称となるように構成されているので、各挿入孔を通して電線の端部を内部空間に挿入したときに板ばねには略同一の大きさの付勢力が発生し、電線の端部を端子金具に対して確実に圧接させることができる。例えば、第１壁部を筺体の上面側に設け、第２壁部を筺体の正面側又は背面側に設ける構成としてもよい。
【００１６】
（請求項５）前記板ばねの前記第１腕部を前記第１挿入孔への接近方向とは反対方向へ押圧して電線の圧接を解除するための第１解除ボタンと、
前記板ばねの前記第２腕部を前記第２挿入孔への接近方向とは反対方向へ押圧して電線の圧接を解除するための第２解除ボタンと
を備えたことを特徴とする請求項１乃至４のいずれか一つに記載の端子台。
【００１７】
請求項５に記載の考案によれば、第１解除ボタンを押圧することにより、板ばねの第１腕部が第１挿入孔への接近方向とは反対方向へ押圧されるので、電線の圧接を簡単に解除することができる。また、第２解除ボタンを押圧することにより、板ばねの第２腕部が第２挿入孔への接近方向とは反対方向へ押圧されるので、電線の圧接を簡単に解除することができる。
【考案の効果】
【００１８】
本考案によれば、簡単な構造でありながら電線の挿入箇所を選択してワンタッチ接続することが可能である。すなわち、一つの端子金具及び一つの板ばねを筺体内部に収容した簡単な構造でありながら、配設位置の異なる２つの挿入孔を、使用環境に応じて選択的に使用して電線を挿入し、ワンタッチ接続することができる。例えば、第１挿入孔の周辺には他の装置が配置されていて電線接続に十分な空間が無いが、第２挿入孔の周辺には十分な空間がある場合は、第２挿入孔に電線を挿入すれば、電線接続作業を容易に行うことが可能となる。また、電線の接続相手からの距離が第２挿入孔よりも第１挿入孔の方が近い場合には、第１挿入孔に電線を挿入すれば、より長さの短い電線を使用して電線接続を図ることができる。
【図面の簡単な説明】
【００１９】
【図１】本考案の一実施形態の端子台を示す図であり、（ａ）は端子台の平面図、（ｂ）は正面図、（ｃ）は右側面図である。
【図２】端子台の側板を取り外して内部構造を示す図である。
【図３】端子金具を示す平面図である。
【図４】（ａ）は板ばねを示す平面図であり、（ｂ）はＡ線矢視図である。
【図５】電線の端部を端子台の第１挿入孔へ挿入して接続した状態を示す図である。
【図６】電線の端部を端子台の第２挿入孔へ挿入して接続した状態を示す図である。
【図７】第１挿入孔に挿入・接続された電線を第１解除ボタンの押圧により解除する様子を示す図である。
【図８】第２挿入孔に挿入・接続された電線を第２解除ボタンの押圧により解除する様子を示す図である。
【考案を実施するための形態】
【００２０】
以下、本考案の端子台を具体化した一実施形態について図面を参照しつつ説明する。図１は、本考案の一実施形態の端子台１を示す図であり、（ａ）は端子台１の平面図、（ｂ）は正面図、（ｃ）は右側面図である。図２は、端子台１の側板４０を取り外して内部構造を示す図である。図３は、端子金具２０を示す平面図である。図４（ａ）は板ばね３０を示す平面図であり、（ｂ）はＡ線矢視図である。
【００２１】
端子台１は、プリント基板に直付けされて電線接続を図るための端子台であって、図１に示すように、接続する電線の本数に応じた個数（本実施形態では４個）の絶縁性の筺体１０と、右端に連結された筺体１０の右側面に取り付けられる側板４０と、隣り合う筺体１０間及び左端に連結された筺体１０の左側面に取り付けられるスペーサ５０とを備えている。
【００２２】
筺体１０は、例えばＰＡ６６（ポリアミド６６）、ＰＢＴ（ポリブチレンテレフタレート）等の絶縁性樹脂材料を金型により成型することにより、全体として側面視で略矩形を呈する箱型に形成されている。筺体１０は、両側面のうち一方側（左側）の面が側壁部１７によって塞がれ、他方側（右側）の面が開口して内部空間１０ａが形成されている。筺体１０には、図２に示すように、内部空間１０ａに配置された一つの端子金具２０と、同じく内部空間１０ａに配置された一つの板ばね３０とが収容されている。
【００２３】
筺体１０には、内部空間１０ａの上下及び前後を囲む周壁部１１が形成されている。具体的には、周壁部１１は、筺体１０上面側の上壁部１２と、下面側の下壁部１３と、正面側の前壁部１４と、背面側の後壁部１５と、上壁部１２前端と前壁部１４上端との間の斜面をなす斜壁部１６とからなる。
【００２４】
上壁部１２には、後端寄りの位置に外部と内部空間１０ａとを貫通する孔であって、電線の端部を内部空間１０ａへ挿入させるための第１挿入孔１２ａが設けられている。さらに、上壁部１２には、第１挿入孔１２ａよりも前方側の位置に外部と内部空間１０ａとを貫通する孔であって、第１解除ボタン６１を挿入させて上下動を案内するための第１案内孔１２ｂが設けられている。
【００２５】
第１解除ボタン６１は、ポリカーボネート等の樹脂からなる細長い小片であって、一端が筺体１０（上壁部１２）上面に突出し且つ他端が板ばね３０の第１腕部３０ｂに当接する状態で、第１解除ボタン用孔１２ｂに進退自在に挿入される。
【００２６】
上壁部１２の内周面には、第１挿入孔１２ａと第１解除ボタン用孔１２ｂとの間に内部空間１０ａに向かって突出する突出部１２ｃが設けられている。板ばね３０の第１腕部３１は、突出部１２ｃに当接することによって第１挿入孔１１ａ側への動きが規制される。
【００２７】
下壁部１３には、端子金具２０の２本のリード部２０ｄ，２０ｄをそれぞれ挿通させるために、前方寄りと後方寄りの２箇所に切り欠き部１３ａ，１３ａが設けられている。
【００２８】
前壁部１４には、下端寄りの位置に外部と内部空間１０ａとを貫通する孔であって、電線の端部を内部空間１０ａへ挿入させるための第２挿入孔１４ａが設けられている。さらに、前壁部１４には、第２挿入孔１４ａよりも前方側の位置に外部と内部空間１０ａとを貫通する孔であって、第２解除ボタン６２を挿入させるための第２解除ボタン用孔１４ｂが設けられている。
【００２９】
第２解除ボタン６２は、第１解除ボタン６１と同様の樹脂製の細長い小片であって、一端が筺体１０（前壁部１４）正面に突出し且つ他端が板ばね３０の腕部３０ｃに当接する状態で、第２解除ボタン用孔１３ｂに進退自在に挿入される。
【００３０】
前壁部１４の内面には、第２挿入孔１４ａと第２解除ボタン用孔１４ｂとの間に内部空間１０ａに向かって突出する突出部１４ｃが設けられている。板ばね３０の第２腕部３０ｃは、突出部１４ｃに当接することによって第２挿入孔１４ａ側への動きが規制される。
【００３１】
斜壁部１６には、電気的な導通チェックを行うために外部と内部空間１０ａとを貫通するチェック用孔１６ａが設けられている。
【００３２】
側壁部１７の内面には、板ばね３０の湾曲部３０ａを案内するガイド部１８が突設されている。ガイド部１８は、湾曲面１８ａを有する柱形状であって、湾曲面１８ａが斜壁部１７と隙間を隔てて対向するように配設されている。尚、この隙間は、板ばね３０の厚さよりも僅かに大きい寸法に設定されている。
【００３３】
筺体１０の開口側端面には、側板４０側の複数の係合孔４０ｐに対応する位置に複数の係合凸部１０ｐが設けられている。
【００３４】
端子金具２０は、導電性に優れた金属製の（例えば、スズメッキの施された銅などからなる）平板を折り曲げ加工して作製したものである。端子金具２０は、図３に示すように、略三角形板状の本体部２０ａと、本体部２０ａの後端から直角に曲げ起こされた長方形状の第１当接部２０ｂと、本体部２０ａの下端から直角に曲げ起こされた長方形状の第２当接部２０ｃと、本体部２０ａ下端部の前端及び後端からそれぞれ下方へ細長く延びる２本のリード部２０ｄ，２０ｄとを備えている。
【００３５】
板ばね３０は、ステンレス鋼等の金属からなる略長方形状の平板を略Ｕ字状に折り曲げて作製したものであり、図４に示すように、長手方向中央の湾曲部３０ａと、その両側に設けられた第１腕部３０ｂ及び第２腕部３０ｃとを有している。
【００３６】
側板４０は、筺体１０と同様に、例えばＰＡ６６（ポリアミド６６）、ＰＢＴ（ポリブチレンテレフタレート）等の絶縁性樹脂材料を金型により成型することにより、筺体１０と同一の側面視形状を有する板状に形成されている。また、側板４０には、筺体１０の開口側端面に設けられた複数の係合凸部１０ｐに対応して複数の係合孔１０ｑが設けられている。側板４０は、筺体１０の側壁部１７とは反対側の側面の各係合凸部１０ｐに各係合孔１０ｑを嵌合させることにより取り付けられて空間部１０ａ開口を閉塞する。
【００３７】
スペーサ５０は、筺体１０と同様に、例えばＰＡ６６（ポリアミド６６）、ＰＢＴ（ポリブチレンテレフタレート）等の絶縁性樹脂材料を金型により成型することにより、筺体１０と同一の側面視形状を有する板状に形成されている。また、スペーサ５０には、筺体１０の側壁部１７左側面に設けられた複数の係合孔（図示せず）に対応して複数の係合凸部（図示せず）が設けられると共に、筺体１０の開口側端面に設けられた複数の係合凸部１０ｐに対応して複数の係合孔（図示せず）が設けられている。そして、スペーサ５０は、右側に隣接する筺体１０に対しては、側壁部１７左側面の各係合孔に各係合凸部を嵌合させることにより一体化される。また、スペーサ５０は、左側に隣接する筺体１０に対しては、筺体１０の側壁部１７とは反対側の側面の各係合凸部１０ｐに各係合孔（図示せず）を嵌合させることにより一体化されて空間部１０ａ開口を閉塞する。
【００３８】
次に、上記各部材から構成される端子台１の構造について説明する。端子金具２０は、本体部２０ａの一方の面が筺体１０の側壁部１７内面に沿うように配置される。また、２本のリード部２０ｄ，２０ｄは、下壁部１３の切り欠き部１３ａ，１３ａにそれぞれ嵌め込まれる。このとき、第１当接部２０ｂは筺体１０の後壁部１５内面に、第２当接部２０ｃは下壁部１３内面に、それぞれ沿う位置関係となっている。
【００３９】
板ばね３０は、中央の湾曲部３０ａが筺体１０の斜壁部１６内面とガイド部１８の湾曲面１８ａとの間の隙間１８ｂに嵌め込まれ、第１腕部３０ｂが上壁部１２側の突出部１２ｃに、第２腕部３０ｃが前壁部１４側の突出部１４ｃにそれぞれ対向するように配置される。また、第１腕部３０ｂの先端が端子金具２０の第１当接部２０ｂ内面に当接又は近接すると共に、第２腕部３０ｃの先端が第２当接部２０ｃ内面に当接又は近接している。
【００４０】
第１解除ボタン６１は、第１解除ボタン用孔１２ｂに挿入され、一端が上壁部１２上面に突出し且つ他端が板ばね３０の第１腕部３０ｂに当接している。同様に、第２解除ボタン６２は、第２解除ボタン用孔１３ｂに挿入され、一端が前壁部１４正面に突出し且つ他端が板ばね３０の第２腕部３０ｃに当接している。
【００４１】
側板４０は、筺体１０内に、端子金具２０、板ばね３０、第１解除ボタン６１、第２解除ボタン６２を組み付けた状態で、筺体１０の側壁部１７とは反対側の側面に取り付けられて空間部１０ａ開口を閉塞する。
【００４２】
次に、端子台１の使用方法について説明する。ここで、図５は、電線の端部を端子台１の第１挿入孔１２ａへ挿入して接続した状態を示す図である。図６は、電線の端部を端子台１の第２挿入孔１４ａへ挿入して接続した状態を示す図である。図７は、第１挿入孔１２ａに挿入・接続された電線を第１解除ボタン６１の押圧により解除する様子を示す図である。図８は、第２挿入孔１４ａに挿入・接続された電線を第２解除ボタン６２の押圧により解除する様子を示す図である。
【００４３】
端子台１は、筺体１０下面から露出する２本のリード部２０ｄ，２０ｄをプリント基板のスルーホールに挿入して半田付けすることによってプリント基板（図示せず）に取り付けられる。そして、電線を端子台１の上方側へ延出させたい場合は、図５に示すように、電線の端部を第１挿入孔１２ａへ挿入して端子台１上面に接続する。例えば、電線がより線の場合、第１解除ボタン６１を押圧した状態で電線端部を第１挿入孔１２ａへ挿入し、続いて第１解除ボタン６１の押圧を解除することにより、電線端部が板ばね３０の第１腕部３０ｂの付勢力によって端子金具２０の第１当接部２０ｂに圧接されて接続が完了する。また、電線が単線の場合や、より線に端部処理が施されて棒端子が設けられている場合は、電線端部を第１挿入孔１２ａへ挿入することにより、電線端部が板ばね３０の第１腕部３０ｂの付勢力によって端子金具２０の第１当接部２０ｂに圧接されて接続が完了する。
【００４４】
一方、電線を端子台１の正面側へ延出させたい場合は、図６に示すように、電線の端部を第２挿入孔１４ａへ挿入して端子台１正面に接続する。例えば、電線がより線の場合、第２解除ボタン６２を押圧した状態で電線端部を第２挿入孔１４ａへ挿入し、続いて第２解除ボタン６２の押圧を解除することにより、電線端部が板ばね３０の第２腕部３０ｃの付勢力によって端子金具２０の第２当接部２０ｃに圧接されて接続が完了する。また、電線が単線の場合や、より線に端部処理が施されて棒端子が設けられている場合は、電線端部を第２挿入孔１４ａへ挿入することにより、電線端部が板ばね３０の第２腕部３０ｃの付勢力によって端子金具２０の第２当接部２０ｃに圧接されて接続が完了する。
【００４５】
そして、電線の端部が第１挿入孔１２ａに接続されている場合は、図７に示すように、第１解除ボタン６１を押圧して板ばね３０の第１腕部３０ｂによる第１当接部２０ｂへの圧接を解除することにより、電線端部を第１挿入孔１２ａから引き抜くことができる。また、電線の端部が第２挿入孔１４ａに接続されている場合は、図８に示すように、第２解除ボタン６２を押圧して板ばね３０の第２腕部３０ｃによる第２当接部２０ｃへの圧接を解除することにより、電線端部を第２挿入孔１４ａから引き抜くことができる。
【００４６】
以上詳述したことから明らかなように、本実施形態の端子台１は、周壁部１１に囲まれた内部空間１１ａを有する絶縁性の筺体１０と、筺体１０の内部空間１０ａに配置された一つの端子金具２０とを備えたものであって、中央の湾曲部３０ａとその両側に設けられた第１腕部３０ｂ、第２腕部３０ｃとからなる略Ｕ字状を呈する一つの板ばね３０が筺体１０の内部空間１０ａに配置され、筺体１０の周壁部１１における板ばね３０の第１腕部３０ｂに対向する位置（第１腕部３０ｂの外面に対向する上壁部１２）に外部と内部空間１０ａとを貫通する第１挿入孔１２ａが設けられ、第１挿入孔１２ａを通して内部空間１０ａに挿入される電線の端部が、板ばね３０の第１挿入孔１２ａへ接近する方向へ作用する付勢力によって端子金具２０（第１当接部２０ｂ）に圧接されるように構成されると共に、筺体１０の周壁部１１における板ばね３０の第２腕部３０ｃに対向する位置（第２腕部３０ｃの外面に対向する前壁部１４）に外部と内部空間１０ａとを貫通する第２挿入孔１４ａが設けられ、第２挿入孔１４ａを通して内部空間１０ａに挿入される電線の端部が、板ばね３０の第２挿入孔１４ａへ接近する方向へ作用する付勢力によって端子金具２０（第２当接部２０ｃ）に圧接されるように構成されたことを特徴としている。
【００４７】
端子台１によれば、筺体１０の周壁部１１において、板ばね３０の第１腕部３０ｂに対向する位置（上壁部１２）に設けられた第１挿入孔１２ａと第２腕部３０ｃに対向する位置に設けられた第２挿入孔１４ａとの２つの挿入孔１２ａ、１４ａが設けられ、各挿入孔１２ａ、１４ａを通して内部空間１０ａに挿入される電線の端部が、板ばね３０の各挿入孔１２ａ、１４ａへ接近する方向へ作用する付勢力によって端子金具２０に圧接される。
【００４８】
よって、端子台１によれば、簡単な構造でありながら電線の挿入箇所を選択してワンタッチ接続することが可能である。すなわち、一つの端子金具２０及び一つの板ばね３０を筺体１０内部に収容した簡単な構造でありながら、配設位置の異なる２つの挿入孔１２ａ、１４ａを、使用環境に応じて選択的に使用して電線を挿入し、ワンタッチ接続することができる。例えば、第１挿入孔１２ａの周辺には他の装置が配置されていて電線接続に十分な空間が無いが、第２挿入孔１４ａの周辺には十分な空間がある場合は、第２挿入孔１４ａに電線を挿入すれば、電線接続作業を容易に行うことが可能となる。また、電線の接続相手からの距離が第２挿入孔１４ａよりも第１挿入孔１２ａの方が近い場合には、第１挿入孔１２ａに電線を挿入すれば、より長さの短い電線を使用して電線接続を図ることができる。
【００４９】
また、板ばね３０の第１腕部３０ｂと第２腕部３０ｃとは、湾曲部３０ａの中心を通る中心線Ｌに対して線対称に形成され、第１挿入孔１２ａと第２挿入孔１４ａとは、中心線Ｌに対して線対称位置に設けられる。特に、筺体１０の周壁部１１は、第１挿入孔１２ａが設けられる第１壁部としての上壁部１２と、第２挿入孔１４ａが設けられる第２壁部１４とを有し、板ばね３０の中心線Ｌを挟んで上壁部１２と前壁部１４とが線対称となるように構成されている。よって、各挿入孔１２ａ、１４ａを通して電線の端部を内部空間１０ａに挿入したときに板ばね３０には略同一の大きさの付勢力が発生し、電線の端部を端子金具２０に対して確実に圧接させることができる。
【００５０】
また、第１挿入孔１２ａの電線挿入方向Ｄ１と第２挿入孔１４ａの電線挿入方向Ｄ２とは、互いに直交しているので、配設位置が異なり且つ電線挿入方向が直交する２つの挿入孔１２ａ、１４ａを、使用環境に応じて選択的に使用して電線接続を図ることができる。
【００５１】
さらに、端子台１は、板ばね３０の第１腕部３０ｂを第１挿入孔１２ａへの接近方向とは反対方向へ押圧して電線の圧接を解除するための第１解除ボタン６１と、板ばね３０の第２腕部３０ｃを第２挿入孔１４ａへの接近方向とは反対方向へ押圧して電線の圧接を解除するための第２解除ボタン６２とを備えている。よって、第１解除ボタン６１を押圧することにより、板ばね３０の第１腕部３０ｂが第１挿入孔１２ａへの接近方向とは反対方向へ押圧されるので、電線の圧接を簡単に解除することができる。また、第２解除ボタン６２を押圧することにより、板ばね３０の第２腕部３０ｃが第２挿入孔１４ａへの接近方向とは反対方向へ押圧されるので、電線の圧接を簡単に解除することができる。
【００５２】
尚、本考案は上述した実施の形態に限定されるものではなく、本考案の主旨を逸脱しない範囲で種々の変更を施すことが可能であることは云うまでもない。
【符号の説明】
【００５３】
１    端子台
１０    筺体
１１    周壁部
１１ａ  内部空間
１２    上壁部
１２ａ  第１挿入孔
１４    前壁部
１４ａ  第２挿入孔
２０    端子金具
３０    板ばね
３０ａ  湾曲部
３０ｂ  第１腕部
３０ｃ  第２腕部
４０    側板
５０    スペーサ
６１    第１解除ボタン
６２    第２解除ボタン
【図１】
0003159469.tif 000003
【図２】
0003159469.tif 000004
【図３】
0003159469.tif 000005
【図４】
0003159469.tif 000006
【図５】
0003159469.tif 000007
【図６】
0003159469.tif 000008
【図７】
0003159469.tif 000009
【図８】
0003159469.tif 000010